(57)【要約】【課題】消耗品容器支持部と記録媒体収容部とを間違えることなく操作して、消耗品容器の交換や記録紙の補充が容易に行うことができる画像形成装置を提供する。【解決手段】トナーカートリッジ５００を着脱可能に装着され、給紙カセット８１を備える画像形成装置１００であって、トナーカートリッジ５００が収容されるトナーカートリッジトレイ４００を画像形成装置１００内部から外側へ移動可能に設け、トナーカートリッジトレイ４００の突出側端部４００ａに取手部４０１を備え、給紙カセット８１を画像形成装置１００内部から外側へ移動可能に設け、給紙カセット８１の突出側端部８１ａに取手部８１１を備え、取手部４０１，８１１の構成を、何れか一方の取手部を把持する方向が、他方の取手部を把持する方向とは異なる方向から把持することが可能に構成することを特徴とする。【選択図】図５
2013182103.tif 000002
【特許請求の範囲】
【請求項１】
消耗品を収容する消耗品容器が着脱可能に装着され、記録媒体を収容する記録媒体収容部を備えて、前記記録媒体に前記消耗品による画像を形成する画像形成装置であって、
前記消耗品容器を画像形成装置に着脱可能に支持する消耗品容器支持部を備え、
前記消耗品容器支持部は、前記画像形成装置内部から外側へ移動可能に設けられ、前記消耗品容器支持部を移動する際に把持するための取手部を備え、
前記記録媒体収容部は、前記画像形成装置内部から外側へ移動可能に設けられ、前記記録媒体収容部を移動する際に把持するための取手部を備え、
前記消耗品容器支持部の取手部と前記記録媒体収容部の取手部は、何れか一方の取手部を把持する方向が、他方の取手部を把持する方向とは異なる方向から把持することが可能に構成されることを特徴とする画像形成装置。
【請求項２】
前記消耗品容器支持部の取手部と前記記録媒体収容部の取手部は、何れか一方の取手部への手指の挿入方向が、他方の取手部への手指の挿入方向とは異なる方向から挿入可能に構成されることを特徴とする請求項１に記載の画像形成装置。
【請求項３】
前記消耗品容器支持部の取手部と前記記録媒体収容部の取手部は、前記画像形成装置の同一面側、または異なる面側に設けられ、
前記消耗品容器支持部と前記記録媒体収容部の前記画像形成装置に対する移動方向は、同じ方向であることを特徴とする請求項１または２に記載の画像形成装置。
【請求項４】
前記消耗品容器支持部の取手部と前記記録媒体収容部の取手部は、同一の垂直線上に配置されないように構成されていることを特徴とする請求項１から３のうちの何れか一項に記載の画像形成装置。
【請求項５】
前記消耗品容器支持部の取手部と前記記録媒体収容部の取手部は、前記消耗品容器支持部と前記記録媒体収容部とをそれぞれ前記画像形成装置の前面側に移動可能に設けられることを特徴とする請求項１から４のうちの何れか一項に記載の画像形成装置。
【発明の詳細な説明】
【技術分野】
【０００１】
本発明は、画像形成装置に係り、特に、トナーカートリッジ等の消耗品容器を着脱可能に装着される画像形成装置に関する。
【背景技術】
【０００２】
従来、電子写真方式による画像形成装置では、トナー容器（トナーカートリッジやトナーボトル）に収納されたトナーを現像装置に対してトナー消費に応じて自動的にトナー供給を行うようにしたものが多く用いられている。そして、このような画像形成装置は、使用済みのトナー容器（以下、「トナーカートリッジ」と称する。）を、ユーザによって容易に交換可能に構成されている。
【０００３】
そして、このようなトナーカートリッジを用いる画像形成装置において、トナーカートリッジの交換を容易にするようにしたものが知られている。
【０００４】
従来技術として、画像形成装置において、トナーカートリッジ交換時に、トナーカートリッジとトナー補給装置とを支持する移動部材が装置本体内部から外側の引出し位置に引き出されて、シャッターが閉じ動作を行いトナー渡し部を遮蔽する、又はシャッターが開き動作を行いトナー渡し部を開放するようにしたものが提案されている（特許文献１を参照）。
【０００５】
このように構成することで、トナーカートリッジを支持させた移動部材が装置本体の外側の引出し位置に引き出された状態において、第１のトナー渡し部を遮蔽及び開放する第１と第２のシャッターの開閉がなされる。従って、移動部材が装置本体の外側に配置されているので、第１と第２のシャッターの開閉動作に伴って飛散トナーが生じたとしても、装置本体内の像露光装置上への飛散トナーの落下はなく、装置本体内部を飛散トナーにより汚染することがないので画像不良を防止することができる。
【先行技術文献】
【特許文献】
【０００６】
【特許文献１】特開２００９−８６４１７号公報
【発明の概要】
【発明が解決しようとする課題】
【０００７】
特許文献１に記載の画像形成装置では、装置本体内の像露光装置上への飛散トナーの落下はなく、画像不良を防止できる点では有用である。しかしながら、移動部材を引き出す場合は、画像形成装置の前カバーを開放後に引き出す必要があり、印刷中であった場合には印刷を中断しなければならない。
【０００８】
また、画像形成装置を常日頃操作しないユーザにとっては、どうのようにして消耗品の交換や記録紙の補充をすればよいかが解らず、画像形成装置の操作に慣れた画像形成装置の管理者が不在の場合、長時間に亘って消耗品の交換や記録紙の補充ができず、延いては印刷できないといった問題が生じる。また、印刷中であっても消耗品の交換ができるコンティニアスラン対応の画像形成装置であっても、消耗品トレイ（消耗品容器支持部）を引き出すところ、誤って記録紙載置トレイ（記録媒体収容部）を引き出してしまい、印刷を中断させてしまったり、ＪＡＭを発生させてしまったりするといった問題がある。
【０００９】
本発明は、上記従来の問題点に鑑みてなされたものであって、画像形成装置の操作に不慣れなユーザであっても、消耗品容器支持部と記録媒体収容部とを間違えることなく操作して、消耗品容器の交換や記録紙の補充が容易に行うことができる画像形成装置を提供することを目的とする。
【課題を解決するための手段】
【００１０】
上述した課題を解決するための本発明に係る画像形成装置は、次の通りである。
【００１１】
本発明は、消耗品を収容する消耗品容器（例えば、トナーカートリッジ）が着脱可能に装着され、記録媒体を収容する記録媒体収容部を備えて、前記記録媒体に前記消耗品による画像を形成する画像形成装置であって、前記消耗品容器を画像形成装置に着脱可能に支持する消耗品容器支持部を備え、前記消耗品容器支持部を、前記画像形成装置内部から外側へ移動可能（または、ユーザにより引出し可能）に設け、前記消耗品容器支持部を移動する際に把持するための取手部を備え、前記記録媒体収容部を、前記画像形成装置内部から外側へ移動可能に設け、前記記録媒体収容部を移動する際に把持するための取手部を備え、前記消耗品容器支持部の取手部と前記記録媒体収容部の取手部の構成を、何れか一方の取手部を把持する方向が、他方の取手部を把持する方向とは異なる方向から把持することが可能に構成することを特徴とするものである。
【００１２】
また、本発明は、前記消耗品容器支持部の取手部と前記記録媒体収容部の取手部の構成を、何れか一方の取手部への手指の挿入方向が、他方の取手部への手指の挿入方向とは異なる方向から挿入可能に構成することが好ましい。
【００１３】
また、本発明は、前記消耗品容器支持部の取手部と前記記録媒体収容部の取手部の構成を、前記画像形成装置の同一面側、または異なる面側に設け、前記消耗品容器支持部と前記記録媒体収容部の前記画像形成装置に対する移動方向（引き出し方向）を同じ方向とすることが好ましい。
【００１４】
また、本発明は、前記消耗品容器支持部の取手部と前記記録媒体収容部の取手部の構成を、同一の垂直線上に配置されないように構成することが好ましい。
【００１５】
また、本発明は、前記消耗品容器支持部の取手部と前記記録媒体収容部の取手部の構成を、前記消耗品容器支持部と前記記録媒体収容部とをそれぞれ前記画像形成装置の前面側に移動可能に設けることが好ましい。
【発明の効果】
【００１６】
本発明の画像形成装置によれば、消耗品を収容する消耗品容器（例えば、トナーカートリッジ）が着脱可能に装着され、記録媒体を収容する記録媒体収容部を備えて、前記記録媒体に前記消耗品による画像を形成する画像形成装置であって、前記消耗品容器を画像形成装置に着脱可能に支持する消耗品容器支持部を備え、前記消耗品容器支持部を、前記画像形成装置内部から外側へ移動可能（または、ユーザにより引出し可能）に設け、前記消耗品容器支持部を移動する際に把持するための取手部を備え、前記記録媒体収容部を、前記画像形成装置内部から外側へ移動可能に設け、前記記録媒体収容部を移動する際に把持するための取手部を備え、前記消耗品容器支持部の取手部と前記記録媒体収容部の取手部の構成を、何れか一方の取手部を把持する方向が、他方の取手部を把持する方向とは異なる方向から把持することが可能に構成することで、消耗品容器支持部と記録媒体収容部との区別（視認性）を容易にして、画像形成装置の操作に不慣れなユーザであっても、消耗品容器支持部と記録媒体収容部とを間違えることなく操作できるので、消耗品容器の交換や記録紙の補充を容易にして作業性を向上させるとともに、誤って印刷中に記録媒体収容部を引き出すことによる印刷停止やＪＡＭを防止する。
【００１７】
また、記録紙を補充する際に、誤って消耗品容器支持部を引き出すといった無駄な操作をも防止できる。さらには、消耗品容器支持部の引き出しをワンアクションで行うことが可能となるので、消耗品容器の交換作業性が向上する。
【００１８】
また、本発明によれば、前記消耗品容器支持部の取手部と前記記録媒体収容部の取手部の構成を、何れか一方の取手部への手指の挿入方向が、他方の取手部への手指の挿入方向とは異なる方向から挿入可能に構成することで、消耗品容器支持部と記録媒体収容部とを間違えることなく、それぞれの取手部を確実に把持することができる。
【００１９】
また、本発明によれば、前記消耗品容器支持部の取手部と前記記録媒体収容部の取手部の構成を、前記画像形成装置の同一面側、または異なる面側に設け、前記消耗品容器支持部と前記記録媒体収容部の前記画像形成装置に対する移動方向（引き出し方向）を同じ方向とすることで、消耗品容器支持部の移動スペース（引き出しスペース）と、記録媒体収容部の移動スペース（引き出しスペース）とを共有できるので、無駄なスペースを必要とすることなく、省スペースの画像形成装置を提供できる。
【００２０】
また、本発明によれば、前記消耗品容器支持部の取手部と前記記録媒体収容部の取手部の構成を、同一の垂直線上に配置されないように構成することで、消耗品容器支持部と記録媒体収容部との区別（視認性）をより容易にして、画像形成装置の操作に不慣れなユーザであっても、消耗品容器支持部と記録媒体収容部とを間違えることなく操作できる。
【００２１】
また、本発明によれば、前記消耗品容器支持部の取手部と前記記録媒体収容部の取手部の構成を、前記消耗品容器支持部と前記記録媒体収容部とをそれぞれ前記画像形成装置の前面側に移動可能に設けることで、画像形成装置の側面にオプション装置である大容量給紙装置や後処理装置などを装着する場合でも、それらオプション装置を移動させることなく、ワンアクションで消耗品容器支持部と記録媒体収容部とを移動できるので、消耗品容器の交換や記録紙の補充の作業性が低下することを防止できる。
【図面の簡単な説明】
【００２２】
【図１】本発明の実施形態に係る画像形成装置の全体の構成を示す説明図である。
【図２】前記画像形成装置を構成する現像装置の構成を断面図で示す説明図である。
【図３】前記現像装置に装着される中間ホッパの構造を示す説明図である。
【図４】（ａ）は前記画像形成装置に搭載されるトナーカートリッジの構成を示す説明図、（ｂ）は（ａ）のＡ矢視図である。
【図５】（ａ）は前記画像形成装置の構成を示す斜視図、（ｂ）は（ａ）のＡ部の詳細図、（ｃ）は（ａ）のＢ部詳細図である。
【図６】前記画像形成装置におけるトナーカートリッジと装置本体駆動側との連結構造を示す説明図である。
【図７】（ａ）は前記トナーカートリッジと装置本体駆動側とを連結した状態を示す説明図、（ｂ）は（ａ）のＢ矢視図である。
【図８】前記トナーカートリッジの駆動部の構成を示す説明図である。
【図９】前記画像形成装置の電気的構成を示すブロック図である。
【図１０】本実施形態の取手部の変形例１の構成を示す説明図である。
【図１１】本実施形態の取手部の変形例２の構成を示す説明図である。
【図１２】本実施形態の取手部の変形例３の構成を示す説明図である。
【図１３】本実施形態の取手部の変形例４の構成を示す説明図である。
【発明を実施するための形態】
【００２３】
以下、本発明を実施するための形態について図面を参照して説明する。
図１は本発明を実施する形態の一例であって、本発明の実施形態に係る画像形成装置の全体の構成を示す説明図である。
【００２４】
本実施形態は、図１に示すように、表面に静電潜像が形成される感光体ドラム３と、感光体ドラム３表面を帯電させる帯電器（帯電装置）５と、感光体ドラム３表面に静電潜像を形成する露光ユニット（露光装置）１と、感光体ドラム３表面の静電潜像にトナーを供給してトナー像を形成する現像装置２と、現像装置２にトナーを補給するトナー補給装置（図示省略）と、感光体ドラム３表面のトナー像を記録媒体に転写する中間転写ベルトユニット（転写装置）８と、トナー像を記録媒体に定着させる定着ユニット（定着装置）１２とを備え、トナー補給装置には消耗品情報を記憶する記憶手段を備えた消耗品を収容するトナーカートリッジ（消耗品容器）を着脱可能に装着され、電子写真方式によりトナーを用いて画像を形成する画像形成装置１００であって、この画像形成装置の特徴的な構成として、本発明に係る画像形成装置の構成を採用したものである。
【００２５】
まず、画像形成装置１００の全体構成について説明する。
以下の説明では、同一の部品には同一の符号を付してある。それらの名称および機能も同じである。したがって、それらについての詳細な説明は繰り返さない。
【００２６】
画像形成装置１００は、図１に示すように、外部から伝達された画像データに応じて、所定の用紙（例えば、記録用紙）に対して多色及び単色の画像を形成するもので、装置本体１１０と、自動原稿処理装置１２０とにより構成されている。
【００２７】
装置本体１１０は、露光ユニット１、現像装置２、感光体ドラム３、クリーナユニット４、帯電器５、転写部６、定着ユニット７、給紙カセット８１、排紙トレイ９１等を有して構成されている。
【００２８】
装置本体１１０の上部に設けられた画像読取り部９０の上側には、原稿が載置される透明ガラスからなるプラテンガラス（原稿載置台）９２が設けられ、そのプラテンガラス９２の上側には自動原稿処理装置１２０が取り付けられている。
【００２９】
自動原稿処理装置１２０は、プラテンガラス９２の上に自動で原稿を搬送する。
また、自動原稿処理装置１２０は、矢印Ｍ方向に回動自在に構成され、プラテンガラス９２の上を開放することにより原稿を手置きで置くことができるようになっている。
【００３０】
画像形成装置１００において扱われる画像データは、ブラック（Ｂ）、シアン（Ｃ）、マゼンタ（Ｍ）、イエロー（Ｙ）の各色を用いたカラー画像に応じたものである。
従って、現像装置２、感光体ドラム３、帯電器５、クリーナユニット４は、各色に応じた４種類の潜像を形成するようにそれぞれ４個ずつ設けられ、それぞれブラック、シアン、マゼンタ、イエローに設定され、これらによって４つの画像ステーションが構成されている。
【００３１】
また、ブラック（Ｂ）、シアン（Ｃ）、マゼンタ（Ｍ）、イエロー（Ｙ）以外にも、例えばシアン（Ｃ）およびマゼンタ（Ｍ）と同一の色相で濃度がより薄い特性をもつライトシアン（ＬＣ）およびライトマゼンタ（ＬＭ）を加えた６色であっても良い。
これら６色とすることで、より鮮明な高画質のフルカラー画像を得ることができる。
【００３２】
帯電器５は、感光体ドラム３の表面を所定の電位に均一に帯電させるための帯電手段である。
【００３３】
露光ユニット１は、外部から入力した画像データまたは原稿から読み取って得られた画像データに応じて、帯電された感光体ドラム３を露光することにより、画像データに応じた静電潜像を感光体ドラム３の表面に形成する画像書込み装置である。露光ユニット１には、レーザビームを走査するポリゴンミラーと、ポリゴンミラーによって反射されたレーザ光を感光体ドラム３に導くためのレンズやミラー等の光学要素が配置されている。
【００３４】
現像装置２は、それぞれの感光体ドラム３上に形成された静電潜像を４色（Ｙ，Ｍ，Ｃ，Ｂ）のトナーにより顕像化するものである。
【００３５】
感光体ドラム３は、円筒状を呈し、露光ユニット１の上方に配設され、その表面がクリーナユニット４によりクリーニングされ、クリーニングされた表面が帯電器５により均一に帯電される。
【００３６】
クリーナユニット４は、現像・画像転写後における感光体ドラム３上の表面に残留したトナーを除去・回収する。
【００３７】
感光体ドラム３の上方に配置されている転写部６は、無端状の中間転写ベルト（無端ベルト）６１、中間転写ベルト駆動ローラ６２、中間転写ベルト従動ローラ６３、中間転写ローラ６４、及び中間転写ベルトクリーニングユニット６５を備えている。中間転写ローラ６４は、Ｙ，Ｍ，Ｃ，Ｂの各色に対応して４本設けられている。
【００３８】
中間転写ベルト駆動ローラ６２、中間転写ベルト従動ローラ６３、及び中間転写ローラ６４は、中間転写ベルト６１を張架して回転駆動するように構成されている。
【００３９】
中間転写ベルト６１は、厚さ１００μｍ〜１５０μｍ程度のフィルムを用いて無端状に形成され、各感光体ドラム３に接触するように設けられている。そして、感光体ドラム３に形成された各色のトナー像を中間転写ベルト６１上に順次重ね合わせて転写することによって、中間転写ベルト６１上にカラーのトナー像（多色トナー像）を形成する機能を有している。
【００４０】
中間転写ローラ６４は、その表面が導電性の弾性材（例えばＥＰＤＭ，発泡ウレタン等）により覆われているローラであって、中間転写ベルト６１に対して感光体ドラム３のトナー像を中間転写ベルト６１上に転写するための転写バイアスを与えるようにされている。詳しくは、中間転写ローラ６４には、トナー像を転写するために高電圧の転写バイアス（トナーの帯電極性（−）とは逆極性（＋）の高電圧）が印加されている。
【００４１】
上述したように、各感光体ドラム３上で各色相に応じて顕像化されたトナー像は中間転写ベルト６１上に積層される。積層された画像情報としてのトナー像は、中間転写ベルト６１とともに搬送されて、搬送される用紙と中間転写ベルト６１との接触位置（２次転写位置，所定位置）に移動し、この接触位置に配置されている転写ローラ１０によって用紙上に転写される。
【００４２】
中間転写ベルト６１に付着したトナー、もしくは転写ローラ１０によって用紙上に転写が行われずに中間転写ベルト６１に残存したトナーは、次工程で形成されるトナー像に対してトナーの混色を発生させる原因となるために、中間転写ベルトクリーニングユニット６５によって除去・回収されるように構成されている。
【００４３】
給紙カセット８１は、画像形成に使用する用紙を蓄積しておくためのトレイであり、装置本体１１０の露光ユニット１の下側に設けられている。また、装置本体１１０の外側部には、外側より用紙を供給可能な手差し給紙カセット８２が設けられている。
この手差し給紙カセット８２にも画像形成に使用する用紙を複数枚積載することができる。装置本体１１０の上方には、印刷済みの用紙をフェイスダウンで集積するための排紙トレイ９１が設けられている。
【００４４】
また、装置本体１１０には、給紙カセット８１及び手差し給紙カセット８２の用紙を転写ローラ１０や定着ユニット７を経由させて排紙トレイ９１に送るための、略垂直形状の用紙搬送路Ｓが設けられている。給紙カセット８１乃至手差し給紙カセット８２から排紙トレイ９１に到る用紙搬送路Ｓの近傍には、ピックアップローラ１１ａ，１１ｂ、複数の搬送ローラ１２ａ〜１２ｄ、レジストローラ１３、転写ローラ１０、定着ユニット７等が配されている。
【００４５】
搬送ローラ１２ａ〜１２ｄは、用紙の搬送を促進・補助するための小型のローラであり、用紙搬送路Ｓに沿って設けられている。尚、搬送ローラ１２ｂは、用紙を排紙トレイ９１に排出する排紙ローラとして機能するため、排紙ローラと称する。
【００４６】
ピックアップローラ１１ａは、給紙カセット８１の端部近傍に備えられ、給紙カセット８１から用紙を１枚ずつピックアップして用紙搬送路Ｓに供給する。
ピックアップローラ１１ｂは、手差し給紙カセット８２の端部近傍に備えられ、手差し給紙カセット８２から用紙を１枚ずつピックアップして用紙搬送路Ｓに供給する。
【００４７】
レジストローラ１３は、用紙搬送路Ｓを搬送されている用紙を一旦保持するものである。そして、感光体ドラム３上のトナー像の先端と用紙の先端を合わせるタイミングで用紙を転写ローラ１０に搬送する機能を有している。
【００４８】
定着ユニット７は、定着ローラ７０として１対のヒートローラ７１と加圧ローラ７２を備えており、ヒートローラ７１及び加圧ローラ７２は、用紙を挟んで回転搬送するようになっている。
【００４９】
ヒートローラ７１及び加圧ローラ７２は、対向して配置されて、ヒートローラ７１と加圧ローラ７２との圧接箇所には、定着ニップ部が形成されている。
【００５０】
ヒートローラ７１は、所定の定着温度となるように制御部（図示せず）によって温度制御される。この制御部は、ヒートローラ７１の周囲に設けられたヒートローラ７１の温度と検出する図示しない温度検出器（非接触式のサーミスタ）からの検出信号に基づいてヒートローラ７１の表面温度が１６０〜２００℃の範囲となるように制御する。
【００５１】
また、ヒートローラ７１は、加圧ローラ７２とともにトナーを用紙に熱圧着することにより、用紙に転写された多色トナー像を溶融・混合・圧接し、用紙に対して熱定着させる機能を有している。また、ヒートローラ７１には、図１に示すように、ヒートローラ７１を外部から定着するための外部定着ベルト７３が設けられている。
【００５２】
一方、加圧ローラ７２も、ヒートローラ７１と同様に円筒状の金属製の芯金の周面に弾性層が設けられて構成されている。そして、ヒートローラ７１に対して所定の圧力で当接されるようになっている。
【００５３】
そして、画像形成装置１００は、図示しないネットワーク回線（ＬＡＮ、電話回線等）を介してＰＣ、ＦＡＸ、およびメーカー、販売先またはリース先等のデータ管理サーバに接続されている。
【００５４】
次に、本実施形態に係る画像形成装置１００を構成する現像装置２の構成について図面を参照して説明する。
図２は本実施形態の画像形成装置を構成する現像装置の構成を断面図で示す説明図、図３は前記現像装置に装着される中間ホッパの構造を示す説明図である。
【００５５】
現像装置２は、図２に示されるように、現像ローラ２３１、第１および第２トナー搬送ローラ２３２，２３３、現像槽２３４、トナー濃度センサ２３５、ならびにドクターブレード２３６を有している。
【００５６】
現像槽２３４は、現像装置２の外装部を形成するものであり、上部に現像剤であるトナーを導入するためのトナー導入口２３４ａが開口形成されている。また、現像槽２３４の感光体ドラム３に面する側には、開口部２３４ｂが形成されている。現像槽２３４の内部には、現像ローラ２３１、第１トナー搬送ローラ２３２および第２トナー搬送ローラ２３３が配設されている。
【００５７】
現像ローラ２３１は、現像槽２３４に形成された開口部２３４ｂ付近に設けられており、開口部２３４ｂから露出して感光体ドラム３と当接または近接している。この現像ローラ２３１は、上述した磁気ブラシを形成するためのマグネットローラとなっている。
【００５８】
第１トナー搬送ローラ２３２および第２トナー搬送ローラ２３３は、現像槽２３４の底部側で現像ローラ２３１と平行になるように配置され、現像槽２３４内に供給されたトナーをキャリアとともに撹拌しながら現像ローラ２３１に搬送する。また、現像槽２３４の底部には、トナー濃度センサ２３５が設けられている。このトナー濃度センサ２３５は透磁率センサであり、現像槽２３４内のトナーとキャリアとの割合を検知する。
【００５９】
また、現像装置２の上方に配設されたトナー補給装置７００は、トナーを供給するトナーカートリッジ（消耗品容器）５００と、トナーカートリッジ５００を配置するトナーカートリッジトレイ４００と、トナーカートリッジトレイ４００の下方に配置された中間ホッパ６００と、中間ホッパ６００を介してトナーカートリッジ５００から供給されたトナーを現像装置２に導くためのトナー搬送路６１２と、図示しない第１、第２のモータとを備える。
【００６０】
中間ホッパ６００は、図３に示すように、第１および第２搬送スクリュー６０１，６０３と、仕切り板６０７と、補給口６１１と、圧電センサ２１６と、トナー補給口（供給口）６１３とを備える。
【００６１】
第１および第２搬送スクリュー６０１，６０３は、トナーカートリッジ５００から補給口６１１に補給された現像剤であるトナーを攪拌して搬送し、供給口６１３から排出する。
具体的には、第１および第２搬送スクリュー６０１，６０３は、攪拌翼６０５を有し、現像装置２の背面側に配された第２モータ（図示せず）から駆動力が伝達されるギアが取り付けられており、ギアから伝達される駆動力により回転し、トナーを攪拌する。
【００６２】
また、第１および第２搬送スクリュー６０１，６０３は、それぞれ同一の形状を有し、それぞれの攪拌翼６０５は螺旋状に形成されている。このため、第１および第２搬送スクリュー６０１，６０３は、回転により１方向にトナーを搬送することができる。第２モータは、第１搬送スクリュー６０１が回転によりトナーを前面側から背面側に搬送する向きに第１搬送スクリュー６０１を駆動する。また、第２搬送スクリュー６０３が回転によりトナーを背面側から前面側に搬送する向きに駆動する。
【００６３】
第１および第２搬送スクリュー６０１，６０３の間には、両者の間を仕切る仕切り板６０７が配設されている。これにより、第１搬送スクリュー６０１が配されている第１搬送経路６１５と、第２搬送スクリュー６０３が配されている第２搬送経路６１７とが仕切り板６０７により区画される。
【００６４】
ここで、仕切り板６０７は、中間ホッパ６００の内部を、その長手方向の両端部となる背面側と前面側とを除いて仕切り、第１および第２搬送スクリュー６０１，６０３の回転軸方向の両端部を中間ホッパ６００の壁面から離間して配置されている。これにより、中間ホッパ６００における背面側と前面側とに、第１搬送経路６１５と第２搬送経路６１７とを連通する連結部がそれぞれ形成されている。
【００６５】
したがって、補給口６１１から補給されたトナーは、第１搬送スクリュー６０１により第１搬送経路６１５を前面側から背面側に搬送された後、背面側の連結部を通って第２搬送経路６１７に送られ、第２搬送スクリュー６０３により第２搬送経路６１７を背面側から前面側に搬送される。これにより、中間ホッパ６００内のトナーは、第１搬送経路６１５と第２搬送経路６１７とを循環する。また、第２搬送経路６１７に送られたトナーは、供給口６１３から排出され、トナー搬送路６１２を経由して現像装置２に供給される。
【００６６】
圧電センサ２１６は、中間ホッパ６００の内壁面のうち底部、ここでは第２搬送経路６１７の底部に設けられ、外部から加えられる力に応じた電圧を出力する。このため、中間ホッパ６００内のトナー量が多くなると、トナーの自重や底部と第２搬送スクリュー６０３の攪拌翼６０５との挟まりによって生じる圧力が大きくなり、圧電センサ２１６に対して外部から加えられる力は大きくなる。逆に、中間ホッパ６００内のトナー量が少なくなると、トナーの自重や底部と第２搬送スクリュー６０３の攪拌翼６０５との挟まりによって生じる圧力が小さくなり、圧電センサ２１６に対し外部から加えられる力は小さくなる。したがって、圧電センサ２１６は、中間ホッパ６００内のトナー量に応じた電圧を出力する。
【００６７】
次に、トナーカートリッジ５００について図面を参照して説明する。
図４（ａ）は本実施形態の画像形成装置に搭載されるトナーカートリッジの構成を示す説明図、（ｂ）は（ａ）のＡ矢視図である。
【００６８】
トナーカートリッジ５００は、図４（ａ），（ｂ）に示すように、略矩形状断面を有する柱状体で構成され、補給トナーが収容されているトナー収容部５０２を備えている。
【００６９】
トナー収容部５０２の底部（図中下側）にトナー補給口５４０が設けられている。
トナーカートリッジ５００の画像形成装置１００本体に向けて装着される一端部５００ａには、消耗品情報が記憶された記憶部（記憶手段）５０１が設けられている。
【００７０】
記憶部５０１は、ＩＣチップ（例えば、無線ＩＣタグ、接点式ＣＲＵＭなどの不揮発性メモリ）、バーコード、ＱＲコード（登録商標）等の２次元コードの何れかを用いて構成されている。本実施形態では、記憶部５０１には、トナーカートリッジ５００に関する情報を格納するＥＥＰＲＯＭ等を内蔵したデバイス等で構成される不揮発性メモリの接触型ＣＲＵＭが備えられ、このメモリにはトナーカートリッジの型番、製造箇所、トナー残量（逐次更新される）、新品か否か、などの情報が記憶されている。
【００７１】
記憶部５０１には、記憶部位置決めボス５０４が設けられている。この記憶部位置決めボス５０４は、トナーカートリッジ５００を画像形成装置１００に装着する際に、記憶部５０１を画像形成装置１００本体側の記憶部用コネクタ（図示省略）に対して位置決めするための位置決め部材である。図中の符号５０５は接続端子、５０６は記憶部５０１をトナーカートリッジ５００に取付けるための取付け穴を示す。
【００７２】
次に、本実施形態に係る画像形成装置１００の特徴的な構成について図面を参照して詳細に説明する。
図５（ａ）は本実施形態の画像形成装置の構成を示す斜視図、（ｂ）は（ａ）のＡ部の詳細図、（ｃ）は（ａ）のＢ部詳細図である。
【００７３】
画像形成装置１００は、図５（ａ）に示すように、少なくとも１つ以上のトナーカートリッジ（消耗品容器）５００を画像形成装置１００に着脱可能に支持するトナーカートリッジトレイ（消耗品容器支持部）４００を備えている。
【００７４】
画像形成装置１００の操作側には、液晶パネルを用いた表示部２０４、テンキーなどで構成される入力部２０５が設けられている。
【００７５】
本実施形態では、表示部２０４は、トナーカートリッジ５００にトナーが無くなったときにトナーカートリッジ５００の交換を知らせる。
【００７６】
トナーカートリッジトレイ４００は、画像形成装置１００の操作側を正面とすると、図５（ａ）に示すように、図中前側の正面１１０ａ側に出没可能に構成されている。
【００７７】
トナーカートリッジトレイ４００上には、複数のトナーカートリッジ５００が装置内に装着された状態で、各々のトナーカートリッジ５００に対応する現像装置２と対向する位置に並設配置される。
【００７８】
トナーカートリッジトレイ４００上には、図５（ａ）に示すように、図中左側から右側に向かい、イエロー（Ｙ）、マゼンタ（Ｍ）、シアン（Ｃ）、ブラック（Ｂ１）、（Ｂ２）の順に５本のトナーカートリッジ５００が装着されている。
【００７９】
また、トナーカートリッジトレイ４００には、移動方向に対して外側に向かう突出側端部４００ａにユーザが手動でトナーカートリッジトレイ４００を引き出せるように取手部４０１が設けられている。
【００８０】
取手部４０１には、図５（ｂ）に示すように、上側からユーザ等が手指を挿入可能なように、上部が開口した凹部４０１ａが形成されている。
【００８１】
トナーカートリッジトレイ４００は、図示しないガイド部に沿って画像形成装置１００の装置本体１１０内への挿脱が可能とされている。
【００８２】
画像形成装置１００内のトナーカートリッジトレイ４００が収納される部分の下方には、記録紙が収容される給紙カセット８１が収納されるように構成されている。
給紙カセット８１は、トナーカートリッジトレイ４００と同様に画像形成装置１００の正面１１０ａ側にトナーカートリッジトレイ４００と同一方向に出没可能に構成されている。
【００８３】
給紙カセット８１には、移動方向に対して外側に向かう突出側端部８１ａに、ユーザが把持して手動で給紙カセット８１を引き出せるように取手部８１１が設けられている。
【００８４】
取手部８１１には、図５（ｃ）に示すように、下側からユーザ等が手指を挿入可能なように、下部が開口した凹部８１１ａが形成されている。
【００８５】
このように構成することで、トナーカートリッジトレイ４００と給紙カセット８１とを同じ方向に出没させることができるので、画像形成装置１００の周囲に無駄なスペースを必要とすることなく、省スペースな画像形成装置１００を実現できる。
【００８６】
また、トナーカートリッジトレイ４００の取手部４０１を把持する方向が、給紙カセット８１の取手部８１１を把持する方向とは異なる方向から把持することが可能なように構成したので、画像形成装置１００の操作に不慣れなユーザであっても、トナーカートリッジトレイ４００と給紙カセット８１とを間違えることなく操作することができる。
【００８７】
次に、トナーカートリッジトレイ４００が装置本体１１０内に装着された時のトナーカートリッジ５００と駆動側の連結構造について図面を参照して説明する。
図６は本実施形態に係る画像形成装置におけるトナーカートリッジと装置本体駆動側との連結構造を示す説明図、図７（ａ）は前記トナーカートリッジと装置本体駆動側とを連結した状態を示す説明図、（ｂ）は（ａ）のＢ矢視図である。
【００８８】
トナーカートリッジ５００は、図６に示すように、筐体５１０と、トナーを搬送するトナー搬送部材５２０と、回転駆動をトナー搬送部材５２０に伝達するトナーカートリッジ側カップリング５３０とを備えている。筐体５１０の底部には、トナーカートリッジ５００から中間ホッパ６００にトナーを補給するトナー補給口５４０が形成されるとともに、トナー補給口５４０を開閉するトナーカートリッジシャッター５５０が設けられている。
【００８９】
トナー補給口５４０は、トナーカートリッジ５００がトナーカートリッジトレイ４００に装着された状態で、トナーカートリッジトレイ４００が装置本体１１０に挿入されて画像形成位置に装着された時に、中間ホッパ６００のトナー供給口（図示省略）と対向するようになっている。
【００９０】
画像形成装置１００の装置本体１１０には、トナーカートリッジ側カップリング５３０に駆動を伝達する本体側カップリング１３０を回転自在に支持する本体側カップリング支持部材１４０が設けられている。
【００９１】
本体側カップリング支持部材１４０には、トナーカートリッジ５００が装置本体１１０内に装着された状態で、トナーカートリッジ５００のトナーカートリッジシャッター５５０に対向する位置にカートリッジシャッター押圧部１４１が設けられている。
【００９２】
トナーカートリッジトレイ４００をユーザが押し込むことで、図７（ａ）に示すように、トナーカートリッジ側カップリング５３０と本体側カップリング１３０とが嵌合するとともに、カートリッジシャッター押圧部１４１がトナーカートリッジシャッター５５０に当接して、トナーカートリッジシャッター５５０を移動させてトナー補給口５４０を開口状態にするように構成されている。
【００９３】
カートリッジシャッター押圧部１４１には、図７（ｂ）に示すように、トナーカートリッジシャッター５５０を移動させてトナー補給口５４０を開口状態にする位置で、少なくともトナー補給口５４０と対向する部分を切り欠いた切欠部１４２が形成されている。
【００９４】
ここで、トナーカートリッジ側カップリング５３０と本体側カップリング１３０との連結動作について説明する。
図８は本実施形態のトナーカートリッジの駆動部の構成を示す説明図である。
【００９５】
本体側カップリング１３０には、図８に示すように、トナーカートリッジ側カップリング５３０と同じ形状の連結受け穴１３１が形成されている。この連結受け穴１３１にトナーカートリッジ側カップリング５３０を嵌合させることで本体側カップリング１３０とトナーカートリッジ側カップリング５３０とが連結される。
【００９６】
なお、本体側カップリング１３０の軸芯とトナーカートリッジ側カップリング５３０の軸芯とが合致しないと、連結受け穴１３１の凹部１３１ａとトナーカートリッジ側カップリング５３０の凸部５３０ａとが衝突して摩耗損傷する。
【００９７】
トナーカートリッジ側カップリング５３０は、図８に示すように、嵌合吸収ばね５３１により本体側カップリング１３０側に押し付けられることで安定した状態で連結される。
【００９８】
このとき、トナーカートリッジ５００のトナーカートリッジシャッター５５０は、本体側カップリング支持部材１４０のカートリッジシャッター押圧部１４１によりトナー補給口５４０が開口する位置まで移動する。そして、図７（ｂ）に示すように、カートリッジシャッター押圧部１４１の切欠部１４２がトナー補給口５４０と対向する位置に配置される。これにより、トナー補給口５４０は中間ホッパ６００へのトナー供給が可能な状態となる。
【００９９】
すなわち、トナーカートリッジ５００がトナーカートリッジトレイ４００とともに画像形成装置１００に挿入され、画像形成位置に位置したとき（奥まで挿入されたとき）、本体側カップリング１３０とトナーカートリッジ側カップリング５３０とが嵌合し、トナーカートリッジ５００の図示しないトナー補給スパイラルを駆動して、トナーカートリッジ５００から中間ホッパ６００にトナーを補給する。
【０１００】
トナーカートリッジ５００の記憶部５０１が接触式のＣＲＵＭであった場合は、本体側カップリング１３０のトナーカートリッジ側カップリング５３０側への移動に合わせて、本体側の図示しない検知部が接触式のＣＲＵＭ側へ移動し、通信が可能となる。
【０１０１】
なお、トナーカートリッジ５００の記憶部５０１が非接触式のＩＣタグの場合は、実質通信距離が３０ｍｍ程度あるので、本体側の図示しない検知部が非接触式のＩＣタグへ移動する必要はない。
【０１０２】
次に、本実施形態の画像形成装置１００の特徴的な構成についてブロック図を参照して説明する。
図９は本実施形態の画像形成装置の電気的構成を示すブロック図である。
【０１０３】
画像形成装置１００は、図９に示すように、電気的構成として、画像形成装置１００の動作を制御する制御部２０１、記憶部（記憶手段）２０２、判定部（判定手段）２０３、表示部２０４、入力部２０５、ネットワーク回線を介してＰＣ等とＬＡＮ接続等を行う通信部２０６、画像処理を行う画像処理部２０８、画像形成を行う画像形成部２０９、トナー像の定着処理を行う定着部２１０、スキャナにおいて画像の読み取りを行う読取部２０７、後処理装置（図９の周辺機器を指す）の動作を制御する制御部２１１などを備えている。
【０１０４】
制御部２０１は、表示部２０４、入力部２０５、通信部２０６、読取部２０７、画像処理部２０８、画像形成部２０９、定着部２１０、トナー濃度センサ２３５（図２を参照）、とそれぞれ接続され、画像形成装置１００全体を制御する。
【０１０５】
なお、制御部２０１が実行するプログラムを記憶する記憶媒体としては、メモリカードに限られず、フレキシブルディスク、光ディスク、ＩＣカード、光カード、マスクＲＯＭ、ＥＥＰＲＯＭなどの半導体メモリ等の媒体であってもよい。
【０１０６】
通信部２０６は、制御部２０１からの指示に従って、接続された外部の機器との間でデータを送受信する。
【０１０７】
読取部２０７は、原稿読取位置まで搬送されてきた原稿に光を照射する光源と、原稿で反射した光を受光する光電変換素子とを含み、原稿のサイズに応じた原稿画像を走査する。光電変換素子は、受光した光を電気信号である画像データに変換して、画像処理部２０８に出力する。
【０１０８】
画像処理部２０８は、読取部２０７から入力される画像データにシェーディング補正などの各種のデータ処理を施した後、画像形成部２０９に出力する。給紙部（図示しない）は、給紙カセット８１および手差し給紙カセット８２に収納された用紙を画像形成部２０９に搬送する。
【０１０９】
画像形成部２０９は、データ処理後の画像データに基づいて、給紙部（図示しない）により搬送される用紙に画像を形成する。そして、画像形成部２０９は、画像を形成した後の用紙を排紙トレイ９１上に排出する。
【０１１０】
定着部２１０（図１の定着ユニット７に相当）は、画像形成部２０９にて用紙上に形成されたトナー画像を溶融させて用紙に定着させる。
【０１１１】
トナー濃度センサ２３５は、例えば透磁率センサであり、現像装置２の底面周辺の単位体積当りのキャリアに含まれる鉄分の透磁率を読み取る。透磁率が大きいほどトナー濃度は小さい。トナー濃度センサ２３５は、読み取った透磁率を制御部２０１に出力する。
【０１１２】
表示部２０４は、液晶表示装置（ＬＣＤ）、有機ＥＬＤ（Ｅｌｅｃｔｏｒｏ  Ｌｕｍｉｎｅｓｃｅｎｃｅ  Ｄｉｓｐｌａｙ）、電気泳動を利用した電子ペーパー等のディスプレイ、プラズマディスプレイ（ＰＤＰ)、プラズマチューブアレイディスプレイ（ＰＴＡＤ）、電子放出素子を用いたディスプレイ（ＦＥＤ、ＳＥＤ）等の表示装置であり、ユーザに対する設定画面等の指示メニューや取得した画像データに関する情報を含む画面を表示する。
【０１１３】
入力部２０５は、複数のキーを備え、キーに対応するユーザの操作による各種の指示、文字、数字などのデータの入力を受け付ける。
【０１１４】
なお、入力部２０５が備える複数のキーは、スイッチを備えたハードキーである。また、入力部２０５は、キーの一部としてタッチパネルを含んでいても、あるいはタッチパネルそのもので構成されていてもよい。
【０１１５】
入力部２０５がタッチパネルを含む場合、あるいはタッチパネルから構成されている場合、タッチパネルは、表示部２０４上に設けられる。本実施形態の入力部２０５は、タッチパネルを含んでいるものとする。なお、指装着型のウェアラブル・インタフェースを用いたジェスチャ入力を用いてもよい。
【０１１６】
判定部２０３は、図示しない検知部により検出された検出結果（トナーの残量）に基づき、トナーカートリッジ５００内のトナーが無くなったか否かを判定する。また、図示しない検知部によりトナーカートリッジ５００が検出されたか否かの検出結果に基づき、トナーカートリッジ５００が装着されたか否かを判定する。また、図示しない検知部によりトナーカートリッジトレイ４００が検出されたか否かの検出結果に基づき、トナーカートリッジトレイ４００が装着されたか否かを判定する。
【０１１７】
次に、本実施形態の画像形成装置１００におけるトナーカートリッジ５００の交換、装着や記録紙を補給する時の操作について図面を参照して説明する。
【０１１８】
画像形成装置１００において、トナーカートリッジ５００を交換（または装着）する場合は、図５（ａ），（ｂ）に示すように、トナーカートリッジトレイ４００の取手部４０１の凹部４０１ａに上方から指を差し入れて取手部４０１を把持して、トナーカートリッジトレイ４００を画像形成装置１００の内側から外側に引き出す。
【０１１９】
このとき、トナーカートリッジトレイ４００は、画像形成装置１００の前側の正面１１０ａから外側に突出して露出され、トナーカートリッジトレイ４００内に収容されたトナーカートリッジ５００が交換可能な状態となる。
【０１２０】
また、給紙カセット８１に記録紙を補給する場合は、図５（ａ），（ｃ）に示すように、給紙カセット８１の取手部８１１の凹部８１１ａに下方から指を差し入れて取手部８１１を把持して、給紙カセット８１を画像形成装置１００の内側から前側の正面１１０ａより外側に引き出す。
【０１２１】
このとき、給紙カセット８１は、画像形成装置１００の前側の正面１１０ａから外側に突出して露出され、給紙カセット８１内に記録紙を補給可能な状態となる。
【０１２２】
このように、トナーカートリッジトレイ４００を操作する場合と給紙カセット８１を操作する場合とで、各々の取手部４０１，８１１を把持する手の向きが異なるため、トナーカートリッジトレイ４００と給紙カセット８１とを間違えることなく操作することができる。
【０１２３】
以上のように構成したので、本実施形態によれば、トナーを収容するトナーカートリッジ５００が着脱可能に装着され、記録紙を収容する給紙カセット８１を備えた画像形成装置１００において、トナーカートリッジ５００を画像形成装置１００に着脱可能に支持するトナーカートリッジトレイ４００を備え、トナーカートリッジトレイ４００を画像形成装置１００内部から外側へ移動可能（または、ユーザにより引出し可能）に設け、トナーカートリッジトレイ４００の突出側端部４００ａに取手部４０１を備え、給紙カセット８１を画像形成装置１００内部から外側へ移動可能に設け、給紙カセット８１の突出側端部８１ａに取手部８１１を備え、トナーカートリッジトレイ４００の取手部４０１を上側からユーザ等が手指を挿入可能なように上部が開口した凹部４０１ａを形成し、給紙カセット８１の取手部８１１を下側からユーザ等が手指を挿入可能なように下部が開口した凹部８１１ａを形成したので、トナーカートリッジトレイ４００と給紙カセット８１との区別（視認性）を容易にして、画像形成装置１００の操作に不慣れなユーザであっても、トナーカートリッジトレイ４００と給紙カセット８１とを間違えることなく操作できるので、トナーカートリッジ５００の交換や記録紙の補充を容易にして作業性を向上させるとともに、誤って印刷中に給紙カセット８１を引き出すことによる印刷停止やＪＡＭを防止することができる。
【０１２４】
なお、本実施形態では、トナーカートリッジトレイ４００の取手部４０１を上側からユーザ等が手指を挿入可能に構成し、給紙カセット８１の取手部８１１を下側からユーザ等が手指を挿入可能に構成しているが、本発明は、トナーカートリッジトレイ４００の取手部４０１と給紙カセット８１の取手部８１１のうちの何れか一方の取手部を把持する方向が、他方の取手部を把持する方向とは異なる方向から把持することが可能に構成するものであればよく、本実施形態の構成に限定されるものではない。
【０１２５】
以下に、本実施形態のトナーカートリッジトレイ４００の取手部４０１および給紙カセット８１の取手部８１１の構成の変形例について図面を参照して説明する。
図１０は本実施形態の取手部の変形例１の構成を示す説明図、図１１は本実施形態の取手部の変形例２の構成を示す説明図、図１２は本実施形態の取手部の変形例３の構成を示す説明図、図１３は本実施形態の取手部の変形例４の構成を示す説明図である。
【０１２６】
（変形例１）
変形例１は、図１０に示すように、給紙カセット８１の上方に設けられたトナーカートリッジトレイ４００の取手部１４０１を、右斜め上方から把持するように構成したものである。このように構成することで、トナーカートリッジトレイ４００の取手部１４０１を右手で操作する場合に操作し易くできる。
【０１２７】
なお、取手部１４０１を左斜め上方から把持するように構成したものもであってもよく、これによれば、左手で操作し易い構成となる。
【０１２８】
（変形例２）
変形例２は、図１１に示すように、給紙カセット８１の上方に設けられたトナーカートリッジトレイ４００の取手部２４０１を、右横方向から把持するように構成したものである。このように構成することで、トナーカートリッジトレイ４００の取手部２４０１を右手で操作する場合に操作し易くできる。
【０１２９】
なお、取手部２４０１を左横方向から把持するように構成したものもであってもよく、これによれば、左手で操作し易い構成となる。
【０１３０】
（変形例３）
変形例３は、図１２に示すように、給紙カセット８１の上方に設けられたトナーカートリッジトレイ４００の取手部３４０１を、給紙カセット８１の取手部８１１（または取手部８１１の中心）を通る垂直線Ｌ１上から右側にずれた位置に設け、且つ右斜め上方から把持するように構成したものである。このように構成することで、より一層トナーカートリッジトレイ４００や給紙カセット８１を夫々引き出すことを視覚的にも、操作する上でも、ユーザに一旦確認する時間（間）を付与することができるので、操作を間違うことを抑制することができる。
【０１３１】
なお、取手部３４０１を給紙カセット８１の取手部８１１（または取手部８１１の中心）を通る垂直線Ｌ１上から左側にずれた位置に設け、左斜め上方から把持するように構成したものもであってもよく、これによれば、左手で操作し易い構成となる。
【０１３２】
（変形例４）
変形例４は、図１３に示すように、給紙カセット８１の上方に設けられたトナーカートリッジトレイ４００の取手部４４０１を、トナーカートリッジトレイ４００の筐体の正面の突出側端部４００ａの移動方向に沿った右側面、すなわち、筐体の右側面に設け、且つ右横方向から把持するように構成したものである。このように構成することで、さらにトナーカートリッジトレイ４００や給紙カセット８１を夫々引き出すことを視覚的にも、操作する上でも、ユーザに一旦確認する時間（間）を付与することができるので、操作を間違うことを抑制することができる。
【０１３３】
なお、取手部４４０１をトナーカートリッジトレイ４００の筐体の正面の突出側端部４００ａの左側寄りの側面、すなわち、筐体の移動方向に沿った左側面に設け、且つ左横方向から把持するように構成したものであってもよく、これによれば、左手で操作し易い構成となる。
また、取手部４４０１を筐体の左右両側面に設けてよい。
【０１３４】
以上、上述した変形例では、トナーカートリッジトレイ４００の取手部４０１の構成の変形例を説明しているが、本発明は、この構成に限定されるものではなく、例えば、給紙カセット８１の取手部８１１の構成についても同様に展開することができる。
【０１３５】
また、上述した実施形態及び変形例では、トナーカートリッジトレイ４００や給紙カセット８１の筐体に取手部４０１，８１ａ等を設けているが、トナーカートリッジトレイ４００や給紙カセット８１の筐体の一部を突出させたり、または、凹ませたりして取手部として機能するように構成したものであっても良い。
【０１３６】
また、上述した実施形態や変形例では、複数のトナーカートリッジ５００を装着可能な画像形成装置１００に適用した例について説明したが、トナーカートリッジを交換可能なトナーカートリッジトレイと、記録紙の補給可能な給紙カセットを備える画像形成装置であれば、上述したような構成の画像形成装置に限定されるものではなく、その他の画像形成装置にも展開が可能である。
【０１３７】
以上のように、本発明は、上述した実施形態や変形例に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１３８】
８１  給紙カセット（記録媒体収容部）
８１ａ  突出側端部
１００  画像形成装置
１１０  装置本体
１１０ａ  正面
４００  トナーカートリッジトレイ（消耗品容器支持部）
４００ａ  突出側端部
４０１，８１１，１４０１，２４０１，３４０１，４４０１  取手部
４０１ａ，８１１ａ  凹部
５００  トナーカートリッジ（消耗品容器）
６００  中間ホッパ
７００  トナー補給装置
Ｌ１  垂直線
【図１】
2013182103.tif 000003
【図２】
2013182103.tif 000004
【図３】
2013182103.tif 000005
【図４】
2013182103.tif 000006
【図５】
2013182103.tif 000007
【図６】
2013182103.tif 000008
【図７】
2013182103.tif 000009
【図８】
2013182103.tif 000010
【図９】
2013182103.tif 000011
【図１０】
2013182103.tif 000012
【図１１】
2013182103.tif 000013
【図１２】
2013182103.tif 000014
【図１３】
2013182103.tif 000015